(57)【要約】【課題】排気損失を増加させることなく排気圧力の変動に対応して排気騒音の低減が可能な電気掃除機を提供する。【解決手段】電動送風機27からの排気圧力が所定の排気圧力に達しないときには、開閉弁95によって各開口94を閉塞して各共鳴空間91と第２排気風路92とが連通しない。各共鳴空間91を共鳴器として作用させつつ電動送風機27からの排気を第１排気風路83を介して電動送風機室へと排気する。電動送風機27からの排気圧力が所定の排気圧力に達したときには、開閉弁95によって各開口94が開いて各共鳴空間91と第２排気風路92とが連通する。各共鳴空間91および第２排気風路92を拡張室として作用させつつ電動送風機27の排気の一部を各共鳴空間91および第２排気風路92を介して排気する。【選択図】図１
2011030777.tif 000002
【特許請求の範囲】
【請求項１】
電動送風機を収容する電動送風機室と、
前記電動送風機からの排気を前記電動送風機室へと導く第１排気風路と、
この第１排気風路に連通して形成された共鳴空間と、
この共鳴空間を前記電動送風機室側と連通させる第２排気風路と、
前記共鳴空間と前記第２排気風路とを連通する開口と、
この開口に配置され、所定の排気圧力に達することでこの開口を介して前記共鳴空間と前記第２排気風路とを連通させる連通装置と
を具備したことを特徴とした電気掃除機。
【請求項２】
第２排気風路は、開口よりも断面積が広い
ことを特徴とした請求項１記載の電気掃除機。
【請求項３】
共鳴空間は、複数設けられ、
連通装置は、前記共鳴空間のそれぞれと第２排気風路との間に配置されているとともに、互いに異なった排気圧力に達することで前記共鳴空間のそれぞれと前記第２排気風路とを連通させる
ことを特徴とした請求項１または２記載の電気掃除機。
【請求項４】
共鳴空間は、少なくともいずれかの体積が残りの他のいずれかの体積と異なっている
ことを特徴とした請求項３記載の電気掃除機。
【請求項５】
連通装置は、開閉弁である
ことを特徴とした請求項１ないし４いずれか一記載の電気掃除機。
【請求項６】
共鳴空間は、電動送風機の排気口に対向しない位置で第１排気風路と連通している
ことを特徴とした請求項１ないし５いずれか一記載の電気掃除機。
【発明の詳細な説明】
【技術分野】
【０００１】
本発明は、電動送風機からの排気騒音を低減する電気掃除機に関する。
【背景技術】
【０００２】
従来、この種の電気掃除機は、中空状の本体ケース内の前後に、集塵室と、この集塵室に連通する電動送風機室とが区画されている。この電動送風機室には、電動送風機が収容されている。この電動送風機は、外周側がケース体によって覆われており、このケース体内には、電動送風機からの排気を本体ケースの排気孔へと導く排気風路が区画されている。そして、この排気風路により、電動送風機からの排気が本体ケースの排気孔まで流れる長さを延長することで、排気騒音の低減を図っている(例えば、特許文献１参照。)。
【先行技術文献】
【特許文献】
【０００３】
【特許文献１】特許第３０１２７２９号公報(第５−７頁、図４−５)
【発明の概要】
【発明が解決しようとする課題】
【０００４】
しかしながら、上述の電気掃除機では、排気風路が長くなることにより排気損失が増加し、電動送風機による吸込力が低下するという問題点を有している。
【０００５】
本発明は、このような点に鑑みなされたもので、排気損失を増加させることなく排気圧力の変動に対応して排気騒音の低減が可能な電気掃除機を提供することを目的とする。
【課題を解決するための手段】
【０００６】
本発明は、電動送風機を収容する電動送風機室と、電動送風機からの排気を前記電動送風機室へと導く第１排気風路と、この第１排気風路に連通して形成された共鳴空間と、この共鳴空間を電動送風機室側と連通させる第２排気風路と、共鳴空間と第２排気風路とを連通する開口と、この開口に配置され、所定の排気圧力に達することでこの開口を介して共鳴空間と第２排気風路とを連通させる連通装置とを具備したものである。
【発明の効果】
【０００７】
本発明によれば、電動送風機からの排気圧力が所定の排気圧力に達しないときには、連通装置によって共鳴空間と第２排気風路とが連通せず、共鳴空間を共鳴器として作用させつつ電動送風機からの排気を第１排気風路を介して電動送風機室へと排気するので、排気圧力が相対的に低いときに発生しやすいピーク音を低減でき、電動送風機からの排気圧力が所定の排気圧力に達したときには、連通装置によって共鳴空間と第２排気風路とが連通し、この共鳴空間および第２排気風路を拡張室として作用させつつ電動送風機の排気の一部を共鳴空間および第２排気風路を介して排気するので、排気圧力が相対的に高いときに発生しやすい風切り音などの広帯域騒音を低減できるなど、排気流路を必要以上に長くして排気損失を増加させることなく排気圧力の変動に対応して排気騒音の低減が可能になる。
【図面の簡単な説明】
【０００８】
【図１】本発明の一実施の形態の電気掃除機の低排気圧力状態を一部を切り欠いて示す斜視図である。
【図２】同上電気掃除機の高排気圧力状態を一部を切り欠いて示す斜視図である。
【図３】同上電気掃除機の一部を示す縦断面図である。
【図４】同上電気掃除機の連通装置を拡大して示す斜視図である。
【図５】同上電気掃除機を模式的に示す縦断面図である。
【図６】同上電気掃除機を示す斜視図である。
【発明を実施するための形態】
【０００９】
以下、本発明の一実施の形態の構成を図１ないし図６を参照して説明する。
【００１０】
図６において、11はいわゆるキャニスタ型の電気掃除機を示し、この電気掃除機11は、管部12と、この管部12が着脱可能に接続される掃除機本体13とを有している。
【００１１】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１２】
手元操作部17には、把持部21がホース体16側へと突出し、この把持部21には、操作用の設定ボタン22が複数設けられている。
【００１３】
また、掃除機本体13は、図５および図６に示すように、合成樹脂などにより中空状に形成された本体ケース25を備え、この本体ケース25の内部に形成された隔壁26の後側に、電動送風機27およびこの電動送風機27の動作を制御する制御手段としての図示しない本体制御部などを収容する電動送風機室28、および、電動送風機27などに給電するための図示しない電源部を収容する図示しない電源室とが区画されているとともに、隔壁26の前側に、この隔壁26に設けられた連通口31を介して電動送風機27の吸込側に連通する本体集塵室33が区画され、この本体集塵室33に、例えば集塵袋、フィルタ、あるいは集塵装置としての集塵カップなどの集塵部34が配置されている。
【００１４】
本体ケース25は、本体集塵室33の上流側に連通し接続管部15が接続される本体吸込口35を前部に備えている。また、この本体ケース25は、本体集塵室33を開閉可能な本体蓋36を前側の上部に備えている。さらに、この本体ケース25の後部には、電動送風機室28に連通する排気孔37が複数形成されている。また、本体ケース25の後側の両側部には、掃除機本体13を床面上などで走行可能にするための走行輪38(一方のみ図示)がそれぞれ回転自在に取り付けられている。そして、本体ケース25の前側の下部には、この本体ケース25を走行時に旋回させるための旋回輪39が旋回自在に取り付けられている。
【００１５】
電動送風機27は、図１および図２に示すように、電動送風機本体としてのケース体41と、このケース体41の一端側である前端側に取り付けられたファンカバー42とを備えており、ケース体41の内部にモータ部としての電動機部43が収容され、ケース体41とファンカバー42との間に、図示しない整流板(ディフューザ)と遠心ファン45とが収容されている。そして、この電動送風機27は、周囲に、カバー体46が取り付けられている。このカバー体46は、図示しないが、弾性部材などを介して本体ケース25に対して弾性的に支持されている。
【００１６】
ケース体41は、例えば金属、あるいは合成樹脂などにより略有底円筒状に形成されたケース本体48と、このケース本体48の一端部である前端部に取り付けられた図示しないケース板部とを備えている。
【００１７】
ケース本体48のファンカバー42と反対側である他端部すなわち後端部(底部)の中心位置には、電動機部43の後端側を回転可能に軸支するための円筒状のモータヘッド部51が同軸状に後方へと突出して形成されている。また、このケース本体48の外周面には、複数、例えば４つの排気口52が開口形成されているとともに、これら排気口52と異なる位置に、給電部および電動機部43と電気的に接続されるブラシ装置53が取り付けられている。さらに、ケース本体48の一端部は、径方向にフランジ状に全周に亘って突出している。
【００１８】
排気口52は、周方向に互いに離間されており、本実施の形態では、例えば左右幅方向の両側の上下に２つずつ配置されている。
【００１９】
ケース板部は、ケース本体48の一端部に、このケース本体48の直径に沿って配置されている。また、このケース板部には、電動機部43の前端側を内部に回転可能に軸支するための軸支部が形成されており、この軸支部の外部に、整流板が固定されている。
【００２０】
ファンカバー42は、金属などにより略有蓋円筒状に形成されており、後端側がケース本体48のフランジ状の前端部に固定されることで、ケース体41と一体的となっている。また、このファンカバー42には、前端側の中心位置に、電動送風機27の吸気口となる円形状の吸込口55が開口形成されている。
【００２１】
また、電動機部43は、長尺状の回転軸57を備えており、この回転軸57が、ケース本体48のモータヘッド部51およびケース板部の軸支部にそれぞれ収容された図示しないベアリングにより回転自在に保持されている。なお、この電動機部43は、インナロータ型の周知のものであるため、構成の詳細については説明を省略する。
【００２２】
整流板は、遠心ファン45の回転により外周側へと吹き出された空気を整流してケース体41のケース本体48内へと導くものである。そして、この整流板の中心部には、回転軸57の前端側が挿通されている。
【００２３】
遠心ファン45は、回転軸57の前端側に固定されてこの回転軸57と一体的に回動可能となっている。この遠心ファン45の前端側の中心部には、ファンカバー42の吸込口55に対して気密に接続される円形状の吸気開口62が開口形成されている。
【００２４】
一方、カバー体46は、図１ないし図４に示すように、例えば合成樹脂などにより略円筒状に形成されており、電動送風機27の外部全体を覆っている。また、このカバー体46は、外側を区画する外筒部65と、内側を区画する内筒部66とにより、略二重筒状に形成されている。なお、このカバー体46は、任意の箇所で複数に分割されており、これら分割した部分を一体的に組み合わせることで構成されている。
【００２５】
外筒部65は、カバー体46の前面(上流面)を形成する円形平面状の上流面部である前面部71と、カバー体46の後面(下流面)を形成する円形平面状の下流面部である後面部72と、これら前面部71と後面部72とを気密に連結する円筒状の外周面部73とを一体的に有している。
【００２６】
前面部71の中心部には、連通口31(図５)と整流体であるインデューサ74などを介して気密に接続される円形状の開口部75が開口形成されている。この開口部75は、カバー体46の吸気口となるものであり、電動送風機27の吸込口55と同軸状に配置されており、この吸込口55と気密に接続される。
【００２７】
後面部72の中心部には、吸込口55よりも若干小径の円形状の第１排気開口77が開口形成されている。この第１排気開口77は、カバー体46の主排気口となるものであり、内筒部66の内部へと連通している。さらに、後面部72の第１排気開口77の周囲には、円形状の第２排気開口78が複数開口形成されている。これら第２排気開口78は、カバー体46の補助排気口となるものであり、第１排気開口77と略等しい径寸法を有しており、第１排気開口77の周方向に略等間隔に離間されて形成されている。
【００２８】
一方、内筒部66は、外筒部65の前面部71の後側に連続する円筒状の内周面部81と、この内周面部81の後端部に一体的に連結された下流側面である内筒後面部82とを一体的に有している。そして、この内筒部66の内部には、電動送風機27の周囲に、第１排気風路83が形成されている。
【００２９】
内周面部81は、外周面部73の内周側に離間されて対向している。また、この内周面部81の外周面には、外周面部73の内周側との間に、周方向に全周に亘ってフランジ状に突出した第１区画壁部としての周壁部84と、この周壁部84から前面部71に亘って軸方向に沿って直線状の第２区画壁部としての複数、例えば４つの側壁部85(図４)とが形成されている。
【００３０】
さらに、内筒後面部82の中心部には、円形状の連通開口87が開口形成されており、この連通開口87と後面部72の第１排気開口77とが、内筒後面部82の後部に突出して形成された円筒状の連通部88を介して気密に連結されている。
【００３１】
したがって、外筒部65と内筒部66との間には、外周面部73、内周面部81、周壁部84および側壁部85，85間に、共鳴空間91がそれぞれ区画されているとともに、外周面部73、内周面部81、周壁部84、内筒後面部82、連通部88および後面部72間に、第２排気風路92が区画されている。
【００３２】
内周面部81の内周面には、電動送風機27のファンカバー42の周縁部が、シール部材としてのサポートゴム93を介して保持されている。このサポートゴム93は、弾性を有する部材によって円筒状に形成されており、電動送風機27を、カバー体46に対して弾性的に支持するとともに、外筒部65の開口部75と電動送風機27の吸込口55とを気密に接続するように構成されている。
【００３３】
周壁部84は、内筒部66の後端寄りの位置、すなわちカバー体46の前後方向(軸方向)の中心位置よりも後側に配置されている。また、この周壁部84には、複数、例えば６つの円形状の開口94が周方向に互いに略等間隔に離間されて形成されており、これら開口94に、連通装置としての開閉弁95がそれぞれ取り付けられている。
【００３４】
開口94は、各共鳴空間91と第２排気風路92とを連通するものであり、格子状(十字状)のリブ部94a(図３)が内部に形成されている。このリブ部94aには、開閉弁95が取り付けられている。
【００３５】
開閉弁95は、周壁部84の後側、すなわち第２排気風路92側に位置し開口94を開閉する円形板状の開閉部95aと、この開閉部95aの中心部から前方へと軸状に突出してリブ部94aの中心部に挿通された挿通部95bと、この挿通部95bの前端部に形成され開閉弁95を抜け止めするための円形板状の抜け止め部95cとを一体的に備えている。そして、抜け止め部95cとリブ部94aとの間に、開閉弁95を前方向、すなわち開閉部95aにより開口94を閉塞する方向へと付勢する付勢手段としてのコイルばね97が取り付けられている。
【００３６】
コイルばね97は、各共鳴空間91内と第２排気風路92(電動送風機室28(図５))との間の気圧差が所定以上、すなわち、電動送風機27(図１)からの排気圧力が所定の排気圧力に達すると開閉弁95を作動させて開口94を開き、この開口94を介して各共鳴空間91と第２排気風路92とを連通させるように弾性が設定されている。
【００３７】
また、図４に示すように、側壁部85は、内筒部66の上側の左右幅方向両側と、内筒部66の下側の左右幅方向両側とにそれぞれ形成されている。したがって、共鳴空間91は、電動送風機27に対して上側と下側とに位置し左右に広がる第１共鳴空間91aと、電動送風機27に対して左右両側に位置し上下に広がる第２共鳴空間91bとを有し、第１共鳴空間91aと第２共鳴空間91bとは、その体積が互いに異なっている。すなわち、第２共鳴空間91bは、第１共鳴空間91aよりも体積が大きく設定されており、本実施の形態では、例えば第２共鳴空間91bは、第１共鳴空間91aの２倍程度の体積を有している。
【００３８】
ここで、図１および図２に示すように、連通開口87は、連通部88とともに、第１排気風路83を電動送風機室28(図５)とを連通するものである。
【００３９】
また、共鳴空間91は、内筒部66の内周面部81に開口形成された円形状の連通開口部99を介してそれぞれ第１排気風路83と連通している。この共鳴空間91は、連通開口部99に対して断面積が広く形成されている。ここで、共鳴空間91の断面積とは、連通開口部99の開口方向に対して直交する方向の断面積をいう。なお、連通開口部99の開口面積と、共鳴空間91の断面積との比(拡張比)により、共鳴空間91での消音性能が設定されており、この比が大きいほど消音性能が大きくなっている。また、共鳴空間91の長さ(連通開口部99から外周面部73の内周面までの距離)により、共鳴空間91で消音する騒音の周波数が設定されている。
【００４０】
そして、第１共鳴空間91aは、それぞれ１つの開口94を介して第２排気風路92と連通可能であり、第２共鳴空間91bは、それぞれ２つの開口94を介して第２排気風路92と連通可能である。このため、開閉弁95は、第１共鳴空間91aと第２共鳴空間91bとで、互いに異なった排気圧力に達することで開口94を開くように構成されている。すなわち、第１共鳴空間91aと第２排気風路92とを連通する開口94に位置する開閉弁95は、例えば第１共鳴空間91aと第２排気風路92(電動送風機室28(図５))との圧力差(電動送風機27の排気圧力)が所定の第１閾値TH1に達すると開き、第２共鳴空間91bと第２排気風路92とを連通する開口94に位置する開閉弁95は、例えば第２共鳴空間91bと第２排気風路92(電動送風機室28(図５))との圧力差(電動送風機27の排気圧力)が第１閾値TH1よりも大きい所定の第２閾値TH2に達すると開くように構成されている。
【００４１】
また、連通開口部99は、周方向に互いに略等間隔に離間されており、電動送風機27のケース体41のケース本体48の前側寄りの外周面に対向して形成されている。したがって、これら連通開口部99は、それぞれ電動送風機27の排気口52に直接対向しない位置に配置されている。換言すれば、共鳴空間91は、電動送風機27の排気口52に対向しない位置で第１排気風路83と連通している。
【００４２】
そして、第２排気風路92は、全ての共鳴空間91に共通して連通しており、外筒部65および内筒部66の後側寄りの位置から、内筒部66の内筒後面部82側へと断面視でＬ字状に屈曲して形成され、各第２排気開口78を介して電動送風機室28(図５)と連通している。また、この第２排気風路92は、各開口94に対して断面積が広く形成されている。ここで、第２排気風路92の断面積とは、排気風の通過方向に交差(直交)する方向の断面積をいう。本実施の形態では、第２排気風路92の断面積は、外周面部73、内周面部81および側壁部85，85(図３)で区画される面積をいうものとする。なお、開口94の開口面積と、この第２排気風路92の断面積との比(拡張比)により、第２排気風路92での消音性能が設定されており、この比が大きいほど消音性能が大きくなっている。また、第２排気風路92の長さにより、第２排気風路92で消音する騒音の周波数が設定されている。
【００４３】
次に、上記一実施の形態の動作を説明する。
【００４４】
まず、図５に示すように、掃除機本体13の本体集塵室33内に集塵部34を取り付けた状態で、図６に示すように、掃除機本体13の本体吸込口35に対して管部12の接続管部15を接続し、ホース体16、延長管18および床ブラシ19を順次連通接続した後、床ブラシ19を床面上に載置して、把持部21を把持し、所望の設定ボタン22を操作することで、本体制御部が電動送風機27を、例えば弱モード、中モードあるいは強モードなどの所望の動作モードで動作させる。そして、作業者は、把持部21により、延長管18を介して床ブラシ19を床面上で前後に走行させる。
【００４５】
電動送風機27の駆動により生じる負圧は、図１に示す吸気開口62、吸込口55、開口部75、図５に示す連通口31、集塵部34、本体吸込口35、図６に示すホース体16および延長管18を介して床ブラシ19に作用し、床面上の塵埃を空気とともに吸い込む。
【００４６】
この吸い込まれた空気は、吸気風となり、塵埃とともに床ブラシ19から延長管18、ホース体16および本体吸込口35を介して、図５に示す集塵部34内に吸い込まれ、この集塵部34にて塵埃が捕集される。
【００４７】
この集塵部34を通過した吸気風は、集塵部34の下流側(外側)へと排気され、連通口31、インデューサ74および開口部75を介して電動送風機27の吸込口55へと吸い込まれ、この電動送風機27のケース体41内を、電動機部43などを冷却しつつ通過して排気風となり、各排気口52から電動送風機27の外部へと排気される。
【００４８】
このとき、電動送風機27の動作モードが弱モード、あるいは中モードなどで、電動送風機27の入力が小さく(遠心ファン45の回転数が小さく)、電動送風機27からの排気圧力が相対的に低い(排気圧力が第１閾値TH1未満である)と、各開閉弁95を付勢するコイルばね97の付勢力により各開閉弁95が各開口94を閉塞した状態で維持されるので、各共鳴空間91は、第２排気風路92と連通しない。このため、電動送風機27からの排気風は、図１の矢印A1に示すように、第１排気風路83を通過し、連通開口87、連通部88および第１排気開口77を介して電動送風機室28(図５)へと排気され、本体ケース25の排気孔37(図５)から掃除機本体13の外部へと排気される。このとき、各共鳴空間91は、ヘルムホルツ共鳴を利用した共鳴型(干渉型)消音器の共鳴器として作用し、電動送風機27からの排気圧力が相対的に低いときに発生しやすい特定周波数のピーク音を低減する。
【００４９】
一方、電動送風機27からの排気圧力が相対的に高い(排気圧力が第１閾値TH1以上である)と、各共鳴空間91と第２排気風路92(電動送風機室28(図５))との気圧差が増加し、各開閉弁95を付勢するコイルばね97が付勢に抗して縮むことにより、各開閉弁95が各開口94を開く。このとき、電動送風機27からの排気圧力が第１閾値TH1以上でかつ第２閾値TH2未満である場合には、第１共鳴空間91aの開口94のみが開き、さらに電動送風機27からの排気圧力が高い(排気圧力が第２閾値TH2以上である)場合には、第２共鳴空間91bの開口94もそれぞれ開く。この結果、電動送風機27からの排気風は、図２の矢印A2，A3に示すように、一部が共鳴空間91および第２排気風路92を通過して各第２排気開口78を介して電動送風機室28(図５)へと排気され、残りの他部が第１排気風路83を通過して、連通開口87、連通部88および第１排気開口77を介して電動送風機室28(図５)へと排気される。このとき、各共鳴空間91および第２排気風路92は、膨張型(拡張型)消音器の拡張室として作用し、電動送風機27からの排気圧力が相対的に高いときに発生しやすい風切り音などの広帯域騒音を低減する。
【００５０】
これら電動送風機室28へと排気された排気風は、本体ケース25の排気孔37(図５)から掃除機本体13の外部へと排気される。
【００５１】
掃除が終了すると、作業者は図６に示す設定ボタン22を操作して、電動送風機27を停止させる。
【００５２】
上述したように、上記一実施の形態によれば、電動送風機27からの排気圧力が所定の排気圧力に達しないときには、開閉弁95によって各開口94が閉塞されて各共鳴空間91と第２排気風路92とが連通せず、各共鳴空間91を共鳴器として作用させつつ電動送風機27からの排気を第１排気風路83を介して電動送風機室28(図５)へと排気するので、排気圧力が相対的に低いときに発生しやすいピーク音を低減できる。一方、電動送風機27からの排気圧力が所定の排気圧力に達したときには、開閉弁95によって各開口94が開いて各共鳴空間91と第２排気風路92とが連通し、各共鳴空間91および第２排気風路92を拡張室として作用させつつ電動送風機27の排気の一部を各共鳴空間91および第２排気風路92を介して排気するので、排気圧力が相対的に高いときに発生しやすい風切り音などの広帯域騒音を低減できるなど、排気流路を必要以上に長くして排気損失を増加させることなく、すなわち電動送風機27による吸込力を低下させることなく、排気圧力の変動に対応して排気騒音の低減が可能になる。
【００５３】
すなわち、共鳴空間91を、電動送風機27からの排気圧力に対応して共鳴器および拡張室として使い分け、それぞれの排気圧力において発生しやすい排気騒音に対応させることにより、排気騒音を効果的に低減できる。
【００５４】
また、第２排気風路92の断面積を開口94よりも広くすることにより、第２排気風路92をも拡張型消音器の拡張室として用いることができるので、より効果的に排気騒音を低減できる。
【００５５】
さらに、開閉弁95が、第１共鳴空間91aと第２共鳴空間91bとで互いに異なる排気圧力に達することでこれら第１共鳴空間91a、あるいは第２共鳴空間91bを第２排気風路92に連通させるので、第１共鳴空間91aのみを拡張室として作用させて第２共鳴空間91bを共鳴器として作用させたり、共鳴空間91a，91bをともに拡張室として作用させたりすることが可能となり、よりきめ細かい周波数の排気騒音の低減が可能になる。
【００５６】
具体的に、第１共鳴空間91aと第２共鳴空間91bとの体積が異なっているので、各開閉弁95およびコイルばね97の構成を異ならせることなく、第１共鳴空間91aと第２共鳴空間91bとが互いに異なる排気圧力で第２排気風路92に連通する構成を容易に形成できる。
【００５７】
また、連通装置として開閉弁95を用いることにより、電動送風機27からの排気圧力に応じて開口94を開閉させる構成を容易に形成できる。
【００５８】
そして、共鳴空間91を、電動送風機27の排気口52と対向しない位置で第１排気風路83と連通させることにより、電動送風機27からの排気風が直接的に共鳴空間91へと連通開口部99を介して流入することを防止でき、乱流や連通開口部99での風切り音などの騒音の発生を防止できる。
【００５９】
なお、上記一実施の形態において、開閉弁95は、例えばコイルばね97の弾性を異ならせることにより、異なる排気圧力で開口94を開くように構成してもよい。
【００６０】
また、連通装置としては、開閉弁95を用いた構成に限定されない。
【００６１】
さらに、共鳴空間91は、略等しい体積を有するものを複数配置してもよいし、１つだけ配置してもよい。
【００６２】
そして、電動送風機27の周囲に第１排気風路83、共鳴空間91および第２排気風路92を形成できれば、カバー体46の構成は上記の構成に限定されない。
【００６３】
また、電気掃除機11としては、キャニスタ型に限らず、例えば掃除機本体13の下部に床ブラシ19を接続するアップライト型、あるいは、掃除機本体13の前部に床ブラシ19を接続するハンディ型などでも、対応して用いることができる。
【符号の説明】
【００６４】
11    電気掃除機
27    電動送風機
28    電動送風機室
52    排気口
83    第１排気風路
91    共鳴空間
92    第２排気風路
94    開口
95    連通装置としての開閉弁
【図１】
2011030777.tif 000003
【図２】
2011030777.tif 000004
【図３】
2011030777.tif 000005
【図４】
2011030777.tif 000006
【図５】
2011030777.tif 000007
【図６】
2011030777.tif 000008